(57)【要約】【課題】  御札用のスタンドでは立体的に見えず存在感が希薄しており、且つお守りとは形状やサイズが異なるためお守りを立て掛けるものとして代用できない。【解決手段】中央部にお守りを露呈させる開口部を有する前面台紙と、前記前面台紙と一部が結合され、長さが前記前面台紙よりも短い背面台紙を備え、前記前面台紙は前記背面台紙との結合部と対抗する側に設けられた前記背面台紙を固定する一方の前背面固定部を有し、前記背面台紙は、前記前面台紙との結合部と対抗する側に設けられた前記前面台紙を固定する他方の前背面固定部と、前記お守りを固定するお守り固定部とを有するお守り台紙。【選択図】図１
2017140301.tif 000002
【特許請求の範囲】
【請求項１】
中央部にお守りを露呈させる開口部を有する前面台紙と、前記前面台紙と一部が結合部によって結合され、長さが前記前面台紙よりも短い背面台紙を備え、前記前面台紙は、前記結合部と対向する側に設けられた、前記前面台紙および前記背面台紙を固定する一方の前背面台紙固定部を有し、前記背面台紙は、前記結合部と対向する側に設けられた、前記一方の前背面台紙固定部と共に前記前面台紙および前記背面台紙を固定する他方の前背面台紙固定部と、前記お守りを固定するお守り固定部とを有するお守り台紙。
【請求項２】
前記背面台紙は、前記結合部と前記他方の前背面台紙固定部との間の側部に、前記開口部から突出する側面部を有した請求項１記載のお守り台紙。
【請求項３】
前記側面部は、一部に前記前面台紙の前記結合部近傍と、前記前面台紙の前記一方の前背面台紙固定部近傍とをそれぞれ支える支持部を有する請求項２記載のお守り台紙。
【請求項４】
前記一方の前背面台紙固定部は、前記前面台紙の前記結合部と対向する側に形成された基部と、前記基部に形成され、前記他方の前背面台紙固定部と共に、前記前面台紙と前記背面台紙を固定する爪とを有する請求項１記載のお守り台紙。
【請求項５】
請求項１記載のお守り台紙の前記お守り固定部に固定されるお守りであって、平板状の護符と、前記護符の全体を密封して覆うビニール素材からなる被覆部とを備えたお守り。
【発明の詳細な説明】
【技術分野】
【０００１】
本発明は、社寺で販売されるお守り台紙と、それに用いるお守りに関するものである。
【背景技術】
【０００２】
木札や紙御札は住まいや仕事場など、普段目につくところに設置する慣習があり、御札を立て掛けてお祀りするための神棚やホルダー等、御札を自立させるものはあったが、護符を織物で包まれたお守り袋に代表されるお守りは持ち歩くもので設置する慣習はなかった。
【０００３】
御札用の台紙が、御札を立て掛け、固定する等の用途を有したものは従来からあったが、平面的でしか見えなかった。（例えば特許文献１参照）
前述した、御札を立て掛け、固定する等の用途を有したものは、形状が縦長の長方形もしくは剣先型が主流の御札のサイズに合せて作られたものであるため、多様な形状のあるお守りの立て掛け、固定用として代用することは困難だった。
お守り用の台紙が、お守りを立て掛け、固定する等の用途を持ち合わせ、且つ立体的で存在感を表せるものはなかった。
御札用の簡易神棚として、ホルダーやスタンドは従来からあった。（例えば特許文献２参照）
御札用のホルダーやスタンドも、形状が縦長の長方形もしくは剣先型が主流の御札のサイズに合せて作られたものであるため、多様な形状のあるお守りのホルダー、スタンドとして代用することは困難であった。
お守りを固定するホルダーやスタンドは、様々な形状やサイズのあるお守りそれぞれに合わせる必要がある。
御札用、お守り用のどちらにおいても、立て掛け、固定する等の用途や、ホルダー、スタンドの機能を兼ね備えた台紙であり、且つ立体的形状のものは無かった。
【先行技術文献】
【特許文献】
【０００４】
【特許文献１】特開２００２−１７２０５６号公報
【特許文献２】特開２００１−２３８７８５号公報
【発明の概要】
【発明が解決しようとする課題】
【０００５】
御札用のホルダーやスタンドでは、お守りとは形状やサイズが異なるためお守りを固定するものとして代用できない。
御札用の台紙に御札を立て掛け、固定する等の用途を有したものでは立体的に見えず存在感が希薄しており、且つお守りとは形状やサイズが異なるため、お守りを立て掛けるものとして代用できない。
【課題を解決するための手段】
【０００６】
本発明のお守り台紙は、中央部にお守りを露呈させる開口部を有する前面台紙と、前面台紙と一部が結合部によって結合され、長さが前面台紙よりも短い背面台紙とを備え、前面台紙は、結合部と対向する側に設けられた、前面台紙および背面台紙を固定する一方の前背面台紙固定部を有し、背面台紙は、結合部と対向する側に設けられた、一方の前背面台紙固定部と共に前面台紙および背面台紙を固定する他方の前背面台紙固定部と、お守りを固定するお守り固定部とを有する。
また、本発明のお守りは、上述したお守り台紙のお守り固定部に固定されるお守りであって、平板状の護符と、護符の全体を密封して覆うビニール素材からなる被覆部とを備える。
【発明の効果】
【０００７】
上述したお守り台紙により、お守りを御札のように設置でき、且つ立体的で存在感を表せる。また、上述したお守りは、普段は持ち歩ける一方で、上述したお守り台紙により立体的に設置してお祀りすることができる。
【図面の簡単な説明】
【０００８】
【図１】本発明のお守り台紙の実施の形態を示す展開図
【図２】図１展開図から立体的台紙形状へ組む過程１を示す斜視図
【図３】図１展開図から立体的台紙形状へ組む過程２を示す斜視図
【図４】図１展開図から立体的台紙形状へ組む過程３を示す斜視図
【図５】本実施の形態のお守り台紙を裏面から見た斜視図
【図６】本実施の形態のお守り台紙を表面から見た斜視図
【図７】図１展開図を上下１８０°回転し、裏面側を示す展開図
【図８】お守りを装着した本実施の形態のお守り台紙を示す正面図
【図９】本実施の形態のお守り台紙を示す正面図
【図１０】本実施の形態のお守り台紙を示す背面図
【図１１】本実施の形態のお守り台紙を示す右側面図
【図１２】本実施の形態のお守り台紙を示す左側面図
【図１３】本実施の形態のお守り台紙を示す平面図
【図１４】本実施の形態のお守り台紙を示す底面図
【発明を実施するための形態】
【０００９】
以下、本発明の実施の形態を説明する。
【００１０】
本実施の形態のお守り台紙は、中央部にお守り１７を露呈させる開口部３を有する長方形状の前面台紙１を備える。
前面台紙１の形状は、鳥居形状、本殿形状、楼門形状など、本実施の形態に限らない。
前面台紙１と一部が折り曲げスジＣにあたる結合部によって結合され、長さが前面台紙１よりも短い背面台紙２を備える。
前面台紙１は、結合部と対向する側に設けられた前面台紙１および背面台紙２を固定する一方の前背面台紙固定部４を備える。
背面台紙２は、結合部と対向する側に設けられた、一方の前背面台紙固定部４と共に前面台紙１および背面台紙２を固定する他方の前背面台紙固定部５を備える。
背面台紙２は、お守り１７を固定するお守り固定部（上）１４と、お守り固定部（左下）１５と、お守り固定部（右下）１６とで構成されるお守り固定部を備える。
【００１１】
本実施の形態のお守り台紙において、背面台紙２は、結合部と他方の前背面台紙固定部５との間の側部に、開口部３から突出する側面部（左）６と側面部（右）７を有している。
【００１２】
本実施の形態において、側面部（左）６は、一部に、前面台紙１の結合部近傍と、前面台紙１の一方の前背面台紙固定部４近傍とをそれぞれ支える台紙支脚部Ｆ、Ｅを有する。
【００１３】
本実施の形態のお守り台紙において、側面部（右）７は、一部に、前面台紙１の結合部近傍と、前面台紙１の一方の前背面固定部４近傍とをそれぞれを支える台紙支持部Ｈ、Ｇを有する。
なお、側面部６、７は、結合部と他方の前背面台紙固定部５との間の背面台紙２の側部に、開口部３から突出するように設けられた形状であれば、本実施の形態以外でも可能である。
なお、側面部６、７の形状や、台紙支持部Ｅ，Ｆ、Ｇ、Ｈの形状は、側面部の前面台紙の結合部近傍と、前面台紙の一方の前背面台紙固定部近傍とをそれぞれ支える形状であれば、本実施例の形状以外でも可能である。
【００１４】
本実施の形態のお守り台紙において、一方の前背面台紙固定部４は、前面台紙１の結合部と対向する側に形成された前背面固定基部８と、前背面固定基部８に形成され、他方の前背面台紙固定部５と共に、前面台紙１および背面台紙２を固定する前背面固定爪９を有する。
【００１５】
本実施の形態のお守りは、上記のお守り台紙のお守り固定部（上、右下、左下）に固定されるお守り１７であって、お守り１７は平板状の護符と、護符の全体を密封して覆うビニール素材からなる被覆部とを備えている。
【００１６】
以下、本発明の組み立て方を図１〜図８に基づいて説明する。
【００１７】
表面を示す展開図である図１の背面台紙２に施された折り曲げスジＡと折り曲げスジＢで側面部（左）６と側面部（右）７を裏面（図面の後方）へ折り曲げ、折り曲げスジＣで背面台紙２を裏面（図面の後方）へ折り曲げ、折り曲げスジＤにて一方の前背面台紙固定部４を裏面（図面の後方）へ折り曲げ、図２の形状にする。
図２の形状とした側面部（左）６と側面部（右）７の前面台紙支持部Ｅ〜Ｈに前面台紙１を重ねるように折りたたみ、側面部（左）６と側面部（右）７の湾曲した外辺の一部が開口部３から突出した形状となる図３にする。
表面を示す展開図である図１に表している折り曲げスジＡと折り曲げスジＢと折り曲げスジＣと折り曲げスジＤは、折り曲げやすいよう台紙に凹加工を施している。
表面を示す展開図である図１に表している側面部（左）６と側面部（右）７は、台紙を組み立てた際、立体的形状となるよう湾曲した外辺を有する。
【００１８】
図３に示す前背面固定爪９を背面台紙２の表面側から前背面固定爪差込口１０に差し込み、図４の形状となり前面台紙１と背面台紙２が固定される。
表面を示す展開図である図１に表している前背面固定基部８は、前面台紙１と背面台紙２を固定する際、フタの役割を有しているが、前背面固定爪９だけでも固定は可能である。
表面を示す展開図である図１に表している前背面固定爪差込口１０は前背面固定爪９を差し込むための切込みが施されている。
表面を示す展開図である図１に表している前背面固定爪９は、前背面固定爪差込口１０からの脱落を防止するため、半円形の先端を持つ矢印形状を有する。
【００１９】
前面台紙１の長辺よりも背面台紙２の長辺を短くし、裏面に折り曲げた側面部（左）６と側面部（右）７の湾曲した外辺にある前面台紙支持部Ｅ〜Ｈに前面台紙が重なることによって立体的形状が可能となる。
【００２０】
図５のように、背面台紙２にある台紙支脚部１１を前面台紙１とは反対側に開き、支脚固定部１２は前面台紙１側へ抜き出し、前面台紙１の下部にある支脚固定部差込口１３へ支脚固定部１２の先端を差し込み、台紙支脚部１１を固定する。
表面を示す展開図である図１に表している台紙支脚部１１は、コの字型に切り込みが施されており、切込みが施されていない背面台紙２との接合部分には折り曲げスジの凹加工はせず、台紙支脚部１１を前面台紙１とは反対方向に開いた際に生じる台紙の厚みによるバネの効果を残し、台紙全体を支える能力を強化している。
表面を示す展開図である図１に表している支脚固定部差込口１３は、支脚固定部１２の先端を差し込めるよう切込みが施されているものである。
【００２１】
表面を示す展開図である図１に表している支脚固定部１２は、先端を矢印形状とすることで支脚固定部差込口１３からの脱落を防ぐことができる。
【００２２】
この形状を設けることでお守り台紙がお守りスタンドとしての機能を有することとなる。
【００２３】
図７のようにお守り固定部（上）１４、お守り固定部（左下）１５、お守り固定部（右下）１６の３点にお守り１７を差し込む形でお守り１７を固定し、前記の方法で台紙を形成し図８のお守り１７を収納した立体的形状のお守りスタンドが形成される。
表面を示す展開図である図１に表しているお守り固定部（上）は、図７のようにお守り１７を固定させるため、半円形の切込みを施したものである。
表面を示す展開図である図１に表しているお守り固定部（左下）１５、お守り固定部（右下）１６は、図７のようにお守り１７を固定させるため、突出した湾曲形状の切込みが施されている。
しかしながら、お守り固定部はこれに限らない。
表面を示す展開図である図１に表している開口部３の四辺うち一方の前背面台紙固定部４側にある一辺では、湾曲した形状が施されている。
図９は図７に示すお守り１７を収納してスタンド機能を有するお守り台紙の正面図であり、図１０は同背面図であり、図１１は同右側面図であり、図１２は左側面部であり、図１３は平面図であり、図１４は底面図である。
【００２４】
お守り台紙をスタンドとして使用することにより、個別にお守りスタンドを製造する必要がなく、製造費の削減できる。加えて前面台紙１、背面台紙２にあたる部分を紙の片面で表現することを可能とした形状にしており、片面印刷のコストで図柄や模様を前面と背面に表現することができる。
【００２５】
設置するお守り１７は内部に護符を有し、護符の全体を密封して覆うビニール素材からなる被覆部とを備えたお守りであって、箔押し、シルク印刷、インクジェット印刷によって護符の全体を覆うビニール素材の表面や背面に図柄や模様、あるいは該当お守りの内容や社寺名等を表す文字を、単独で、あるいは複合した状態で形成表出しする。
【００２６】
お守りは従来から、護符を織物地で覆う形状が主流のため劣化しやすかった。そのため、透明なビニール素材がお守りの劣化を防止するカバーの役割として利用されてきた。
【００２７】
ビニール素材には不透明で色が付いたものや革製品の表面に似た加工をしたもの、表面に細かな凹凸を加えたもの、植毛したものなど様々表面加工されたものがある。
護符を覆う素材は織物地が主体だったが、様々な表面加工を施されたビニール素材を生かすことによって織物地ではなくビニール素材を利用してもお守りとして遜色ない仕上がりに見せることができる。
【００２８】
劣化防止のためにお守りをカバーする役割としての透明ビニールを使用する必要がなくなり、お守りそのものが撥水効果と耐久性を持つことができる。
【００２９】
透明ビニール素材でお守りをカバーするという工程がなくなることで製造費コストの削減も実現できる。
【００３０】
従来から、お守りは基本的に所持するものであり、カバンの外側や車内など目視しやすいところへ備え付けられる他、財布の中やカバンの中等、人目に触れない場所に納められている場合も多い。
この場合、お守りが目に付きにくく、時間が経つにつれてお守りの存在が希薄化し、お守りを意識する機会が少なくなり、守られているという感覚を認識することができなかった。
【００３１】
本実施の形態によれば、お守りを販売する際に用いるパッケージ用の台紙にお守りを立て掛けるスタンドとして使える機能を設け、普段は前述したスタンドにお守りを立て掛け、目に留まりやすい場所へ設置する。
これに加え、例えば学業守りならば受験日当日に、仕事守りであれば大事な商談時に、交通安全であれば出張や長期の旅など特に大切なタイミングでスタンドからお守りを持ち出すという扱い方ができるようにする。
【００３２】
上述したように、本実施の形態によればお守りを設置する習慣ができ、財布やカバンの中にお守りを入れたままの状態になることを防ぎ、目に留まりやすい状況にすることによってお守りのご利益を意識する効果を発揮する。そして、大切なときにそのお守りを持ち出すという行為により、常時持ち歩くよりも強くお守りを意識することができる。
【００３３】
また、台紙をスタンドとして使えるようにしたことで、お守り購入者にスタンドとしての機能を提供することができる。
【００３４】
紙１枚で台紙をスタンドとして使えるようにしながらも、より存在感を表せる立体的形状となる組み立てを実現する。
【００３５】
ビニール製の素材をお守り製造に使用することによって、織物地とは違い、ビニール素材そのものの特性である撥水効果と耐久性により、上述の扱いのようにお守りを持ち出しては設置する行為を頻繁に繰り返しても劣化しにくい効果がある。
【００３６】
護符の全体を織物地によって覆われて作られているお守り等、前述したビニール素材のお守り以外のお守りを設置する使い方もできる。
【００３７】
台紙の形状が立体的なため、社寺にてお守りを販売する際に目立たせるパッケージのみの役割として使うこともできる。
上記の実施の形態では、結合部を折り曲げスジＣを境として前面台紙１と背面台紙２を折り曲げたが、結合部を前面台紙１と背面台紙２を繋ぐ帯状体とすることも可能である。この場合、帯状体と前面台紙１の間から帯状体と背面台紙２の間を折り曲げることによりお守り固定部に、より大きな空間ができる。言い換えると、お守り台紙を組み立てたときに、帯状体の幅によって、上記実施の形態よりも奥行きができ、より立体感が増す。
【符号の説明】
【００３８】
前面台紙  １
背面台紙  ２
開口部  ３
一方の前背面台紙固定部  ４
他方の前背面台紙固定部  ５
側面部（左）  ６
側面部（右）  ７
前背面固定基部  ８
前背面固定爪  ９
前背面固定爪差込口  １０
台紙支脚部  １１
支脚固定部  １２
支脚固定部差込口  １３
お守り固定部（上）  １４
お守り固定部（左下）  １５
お守り固定部（右下）  １６
お守り  １７
折り曲げスジ  Ａ
折り曲げスジ  Ｂ
折り曲げスジ  Ｃ
折り曲げスジ  Ｄ
前面台紙支持部  Ｅ
前面台紙支持部  Ｆ
前面台紙支持部  Ｇ
前面台紙支持部  Ｈ
【図１】
2017140301.tif 000003
【図２】
2017140301.tif 000004
【図３】
2017140301.tif 000005
【図４】
2017140301.tif 000006
【図５】
2017140301.tif 000007
【図６】
2017140301.tif 000008
【図７】
2017140301.tif 000009
【図８】
2017140301.tif 000010
【図９】
2017140301.tif 000011
【図１０】
2017140301.tif 000012
【図１１】
2017140301.tif 000013
【図１２】
2017140301.tif 000014
【図１３】
2017140301.tif 000015
【図１４】
2017140301.tif 000016